(57)【特許請求の範囲】
【請求項１】
前板に蹴込み部分が設けてあり、
側板にレール受けが設けてあり、
前記レール受けが床面と前記蹴込み部分の上端との距離を越える距離を床との間で保って位置することを特徴とする引出し。
【請求項２】
前記前板が上方前板と蹴込みとからなり、前記蹴込みが前記上方前板と接合し床面と平行な蹴込み上板と前記蹴込み上板と接合し前記上方前板と平行な蹴込み前板とからなることを特徴とする請求項１に記載の引き出し。
【請求項３】
内引出しが設けてあることを特徴とする請求項１に記載の引き出し。
【請求項４】
システムキッチンのキャビネットの引出しであることを特徴とする請求項１に記載の引き出し。
【請求項５】
システムキッチンのキャビネットの引出しであることを特徴とする請求項２に記載の引出し。
【請求項６】
システムキッチンのキャビネットの引出しであることを特徴とする請求項３に記載の引出し。
【請求項７】
前記上方前板が前記システムキッチンの他の引出しの前板と同様の材料で成ることを特徴とする請求項５に記載の引き出し。
【請求項８】
前記前板が上方前板と蹴込みとからなり、前記蹴込みが前記上方前板と接合し床面と平行な蹴込み上板と前記蹴込み上板と接合し前記上方前板と平行な蹴込み前板とからなり、前記上方前板が前記システムキッチンの他の引出しの前板と同様の材料で成ることを特徴とする請求項６に記載の引き出し。
【請求項９】
前記蹴込み前板が前記システムキッチンの他の蹴込みの前板と同様の材料で成ることを特徴とする請求項５記載の引き出し。
【請求項１０】
前記前板が上方前板と蹴込みとからなり、前記蹴込みが前記上方前板と接合し床面と平行な蹴込み上板と前記蹴込み上板と接合し前記上方前板と平行な蹴込み前板とからなり、前記蹴込み前板が前記システムキッチンの他の蹴込みの前板と同様の材料で成ることを特徴とする請求項６記載の引き出し。
【発明の詳細な説明】
【０００１】
【発明が属する技術分野】
この発明は、前板に蹴込みを設けた引出しに関する。より詳細には、前板に蹴込みを設けた引出しであって、引き出しきることのできる引出しに関する。
【０００２】
【従来の技術】
従来、システムキッチン用キャビネット４０等は、その最下部に「蹴込み」と呼ばれる凹部を有し、この部分は引出しとして用いられていなかった（図１２、図１３）。蹴込み４２があることにより、キッチンでの作業者は、足のつま先を凹部に多少入れ込んだ状態でシステムキッチンに向うことができ、システムキッチンに身体を接近させて作業ができる。
【０００３】
しかし、蹴込みは、通常約５ｃｍから約１５ｃｍもの高さを有するものであり、システムキッチンのほとんどすべての最下部に蹴込みが存することを考え合わせれば、蹴込みがあることにより引出しとして用いられていない空間は、いわば無益な空間となっており、これを引出しとして用い、引出しをより大きくすれば、一層便利なシステムキッチンを得ることができる。
【０００４】
昨今では、蹴込みによる空間を引出しとして用いたキャビネットが開発されている（図１４から図１７）。しかし、図１４から図１７に示すキャビネットにおいては、図１６に示すとおり、蹴込みによる空間を利用した最下段の蹴込み付引出しに対応するレールＧ５０はキャビネットの最下端に設けられており、図１７に示すとおり、レールＧ５０に対応するレール受けＧ５１は蹴込み付引出しＧ４６の側面の最下端に設けられている。このような構造とした場合、図１６に示すとおり、レールＧ５０の取付位置を、レールＥ４８及びレールＦ４９よりも、蹴込みの深さｄの分だけ後方にする必要があった。このため、この位置に取付けたレールによって出し入れする引出しにあっては、最大限引き出した状態であっても、深さｄの分だけ引き出しきることができない。引出しを引き出しきることができないと、引出しの奥のほうに入れた物の出し入れがしにくく、また、後述の「内引出し」（図３の符号３４で例示する）を設けるのに不向きであった。
【０００５】
また、レールが低い位置にあるためレールに埃がたまり易く、引出しのスムーズな出し入れを妨げる原因となっていた。
【０００６】
【発明が解決しようとする課題】
この発明は、引出しにおいて、蹴込みの存在によって従来用いられていなかった空間を最下段の引出しとして有効に利用できるようにし、その結果最下段の引出しの内容積を従来よりも大きくすることを課題とする。この発明に係る引出しは、システムキッチン等のキャビネットに用いる引出し等、蹴込みを有する各種引出しを対象とする。
【０００７】
また、当該最下段の引出しを引き出しきることのできる構造を提供することを課題とする。
【０００８】
また、当該最下段の引出しを引き出しきることができる結果、引出しの奥の方の物の出し入れがし易くなる構造を提供することを課題とする。
【０００９】
また、当該最下段の引出しを引き出しきることができる結果、内引出しを設けるのに向く構造を提供することを課題とする。
【００１０】
また、当該キャビネットにおいて、レールにたまる埃を軽減することのできる構造を提供することを課題とする。
【００１１】
【課題を解決するための手段】
本願にあっては、前板に蹴込み部分が設けてあり、側板にレール受けが設けてあり、レール受けが床面と蹴込み部分の上端との距離以上の距離を床との間で保って位置することを特徴とする引出しを提供する。
【００１２】
前板に蹴込み部分を設けることによって、従来前板が存したために用いることのできなかった空間を引出しとして利用できる。前述の「レール受けが床面と蹴込み部分の上端との距離以上の距離を床との間で保って位置する」とは、レール受けを引き出しの側面の最下端ではなく蹴込みの上端よりも高い位置に設けることを意味する。レール受けを、引き出しの側面の最下端ではなく蹴込みの上端よりも高い位置に設けることによって、当該レール受けに対応するレール長さを、他の引出し用に取付けたレールと同じにすることができる。また、レールを取付ける位置を、キャビネットの他の引出しと同様、キャビネットの前端近くとすることができるので、引出しを引き出しきることができる。
【００１３】
また、前板に蹴込み部分が設けてあり、側板にレール受けが設けてあり、レール受けが床面と蹴込み部分の上端との距離以上の距離を床との間で保って位置することを特徴とする引出しであって、前板が上方前板と蹴込みとからなり、蹴込みが上方前板と接合し床面と平行な蹴込み上板と蹴込み上板と接合し上方前板と平行な蹴込み前板とからなることを特徴とする引き出しを提供する。
【００１４】
前板を、上方前板、蹴込み上板、蹴込み前板の３部材で構成することにより、各部材の材料を自在に選択することができる。
【００１５】
また、前板に蹴込み部分が設けてあり、側板にレール受けが設けてあり、レール受けが床面と蹴込み部分の上端との距離以上の距離を床との間で保って位置することを特徴とする引出しであって、内引出しが設けてあることを特徴とする引出しを提供する。
【００１６】
引出しを引き出しきることができるようになる結果内引き出しの使用が容易となり、これらの引出しを有効に利用できる。
【００１７】
また、前板に蹴込み部分が設けてあり、側板にレール受けが設けてあり、レール受けが床面と蹴込み部分の上端との距離以上の距離を床との間で保って位置することを特徴とする引出しであって、システムキッチンのキャビネットの引出しであることを特徴とする引き出しを提供する。
【００１８】
システムキッチンは、使用の際、作業者が身体を近づける必要があるため、通常、キャビネットの引出しに蹴込みが設けられている。そこで、本願に係る引出しが有効に利用できる。
【００１９】
また、前板に蹴込み部分が設けてあり、側板にレール受けが設けてあり、レール受けが床面と蹴込み部分の上端との距離以上の距離を床との間で保って位置し、前板が上方前板と蹴込みとからなり、蹴込みが上方前板と接合し床面と平行な蹴込み上板と蹴込み上板と接合し上方前板と平行な蹴込み前板とからなり、システムキッチンのキャビネットの引出しであることを特徴とする引出しを提供する。
【００２０】
前板を、上方前板、蹴込み上板、蹴込み前板の３部材で構成することにより、前述のとおり、各部材の材料を自在に選択することができる。システムキッチンは、通常、複数のキャビネットを横並びに連ねて構成するものであり、全体を統一したイメージにすることで商品価値を高めることが求められる。この発明のように各部材の材料を自在に選択することができるようにすることにより、システムキッチン全体のイメージを統一することが容易となる。
【００２１】
また、前板に蹴込み部分が設けてあり、側板にレール受けが設けてあり、レール受けが床面と蹴込み部分の上端との距離以上の距離を床との間で保って位置し、内引出しが設けてあり、システムキッチンのキャビネットの引出しであることを特徴とする引出しを提供する。
【００２２】
上下方向深さの深い引出しでは、引出し内の上方に利用していない空間が生じることが多い。この空間を有効に利用するために、内引出しを設ける。本発明の如く、引出しを出しきることのできる構造にあっては、内引出しが利用し易い。
【００２３】
また、前板に蹴込み部分が設けてあり、側板にレール受けが設けてあり、レール受けが床面と蹴込み部分の上端との距離以上の距離を床との間で保って位置し、前板が上方前板と蹴込みとからなり、蹴込みが上方前板と接合し床面と平行な蹴込み上板と蹴込み上板と接合し上方前板と平行な蹴込み前板とからなり、システムキッチンのキャビネットの引出しであり、上方前板がシステムキッチンの他の引出しの前板と同様の材料で成ることを特徴とする引出しを提供する。
【００２４】
システムキッチンにおいて、蹴込みを有する引出しと蹴込みを有さない引出しとが混在した場合に、それぞれの前板を同様の材料でなるものとすることで、システムキッチンのデザイン上の統一を図ることが容易となる。
【００２５】
また、前板に蹴込み部分が設けてあり、側板にレール受けが設けてあり、レール受けが床面と蹴込み部分の上端との距離以上の距離を床との間で保って位置し、内引出しが設けてあり、システムキッチンのキャビネットの引出しであり、上方前板がシステムキッチンの他の引出しの前板と同様の材料で成ることを特徴とする引き出しを提供する。
【００２６】
また、前板に蹴込み部分が設けてあり、側板にレール受けが設けてあり、レール受けが床面と蹴込み部分の上端との距離以上の距離を床との間で保って位置し、前板が上方前板と蹴込みとからなり、蹴込みが上方前板と接合し床面と平行な蹴込み上板と蹴込み上板と接合し上方前板と平行な蹴込み前板とからなり、システムキッチンのキャビネットの引出しであって、蹴込み前板がシステムキッチンの他の蹴込みの前板と同様の材料で成ることを特徴とする引出しを提供する。
【００２７】
また、前板に蹴込み部分が設けてあり、側板にレール受けが設けてあり、レール受けが床面と蹴込み部分の上端との距離以上の距離を床との間で保って位置し、内引出しが設けてあり、システムキッチンのキャビネットの引出しであり、蹴込み前板がシステムキッチンの他の蹴込みの前板と同様の材料で成ることを特徴とする引出しを提供する。
【００２８】
システムキッチンにおいて、蹴込みを有する引出しを蹴込みを有さない引出しとが混在した場合に、蹴込みを有する引出しの蹴込み部分と、それ以外の蹴込み部分とを同様の材料で成るものとすることで、システムキッチンのデザイン上の統一を図ることが容易となる。
【００２９】
【実施例】
図１及び図２に示すとおり、蹴込み付引出し１０は、シンク２、コンロ３、ワークトップ４を備えたシステムキッチン１のキャビネットの一部である引出しとして機能する。本願に係る蹴込み付引出しにあっては、前板の長さは如何様にもすることができ、外観上、引出し７や引出し８に示すようなものともなり得る。
【００３０】
図１では蹴込み付引出し１０を引き出していない状態を示し、図２では蹴込み付引出し１０を途中まで引き出した状態を示す。図３では、蹴込み付引出し１０のさらに内方に内引出し３４が設けてあるキャビネットにおいて、蹴込み付引出し１０と内引出し３４の双方を途中まで引き出した状態を示す。後述のとおり、本願に係る蹴込み付引出し１０にあっては引出しを引き出しきることができる結果、内引出し３４を取り付けた場合の引出し内に物を出し入れするのが容易である。
【００３１】
図４及び図５に示すとおり、引出し前板Ｃ１１、蹴込み上板１２および蹴込み前板１３が接合して蹴込み付引出し１０の前板を構成する。蹴込み前板１３は、各種キャビネット、コンロ、シンク等を組み合わせてシステムキッチンを組み立てる最終段階で手前方向から引き出しに貼付け、最終的に図４、図５に示す構造とするものである。
【００３２】
図４から図６に示すとおり、レール上側板１６およびレール下側板１７がレール受け１４を介して接合し、蹴込み付引出し１０の側板を構成する。レール上側板１６のさらに上方には、オプション受けパイプ１８が設けられている。オプション受けパイプ１８は、蹴込み付引出し１０内の仕切り板等のオプションを取り付けるのに用いる。蹴込み付引出し１０の底面には引出し底板１５が設けられている。
【００３３】
図７、図８、図９は、すべての引出しを引き抜いた場合のキャビネット２０が示されている。図８では内引き出し用のレールであるレールＤ２４が設けられていないが、図７及び図９では、レールＤ２４が設けられている。内引出しはオプションである。キャビネット２０の底面にはアジャスター２５が設けられている。アジャスター２５は、キャビネット２０をキッチンに設置する際の、傾斜の調節用いる。
【００３４】
図７から図９に示すとおり、すべてのレールの取り付け位置において、図１６に示す従来例の如く蹴込み部分の深さｄを考慮する必要がなく、いずれのレールもキャビネットの前端に接近して取りつけることができる。この結果、レールＣ２３によって出し入れされる蹴込み付引出し１０は従来例とは異なり、引出しを引き出しきることができる。
【００３５】
図１０、図１１に、キャビネットに引出しＡ３０、引出しＢ３１、内引き出し３４、蹴込み付引出し１０のすべてを入れた場合を示す。図１０は側面からみた状態、図１１は正面からみた状態を示す。レールＡ２１には引出しＡ３０が、レールＢ２２には引出しＢ３１が、レールＤ２４には内引出し３４が、レールＣ２３には蹴込み付引出し１０がそれぞれ対応する。
【００３６】
引出し前板Ａ３２、引出し前板Ｂ３３、引出し前板Ｃ１１、蹴込み前板１３に、どのような材質および模様・色彩でなるものを用いるかは、まったく自由である。よって、図１から図３に示すようなシステムキッチンとして設置した場合に、蹴込みを有する引出しと蹴込みを有しない引出しとが混在しても、外観的にシステムキッチン全体のデザイン上の統一に何ら影響を与えない。
【００３７】
レール受け１４は、蹴込み付引出し１０をキャビネット２０から出し入れするにあたり、キャビネットの内壁に設けられたレールＣ２３と協働する（図６から図９参照）。図６に、蹴込み付引出し１０の前面に取付けられる引出し前板Ｃ１１、蹴込み上板１２、蹴込み前板１３を点線で示す。蹴込み付引出し１０のレール受けは、蹴込み付引出し１０の側板の最下端ではなく、レール受け１４の上端よりも上方にある。レール受け１４は左右方向にある程度の幅を有する。図６に示すとおり、オプション受けパイプ１８と引出し底板１５とを結ぶ側カバー９が、引出し側板１６よりも内側に設けられ、蹴込み付引出し１０の内側の側壁を構成する。
【００３８】
従来例の如くレール受け１４が引出し底板１５の側面の最下端に設けられていれば、レール受け１４の有する左右方向の幅は引出しの内容積に何ら影響を及ぼさないが、図５、図６に示す如き位置にレール受け１４がある場合、レール受け１４の有する左右方向の幅は、引出しの内容積を小さくするものとしての影響を及ぼす。すなわち、図６に示すとおり、レール受け１４の位置を蹴込み付引出し１０の側壁の中途とすることにより、左右方向の幅を狭くする結果とはなるが、前述のとおり引出しを引き出しきることができるとの効果を得ることができ、この結果、引出しの奥に置いたものの出し入れが行いやすく、また、オプションとして内引出しを取り付けるのに向く構造となる。
【００３９】
全てのレールはキャビネットの前後方向に同じ幅を有する部分に取り付けられるので、全てのレールは同じ規格のもの、すなわち長さの同じものを用いることができる。この結果、製造コストが削減される。
【００４０】
【発明の効果】
システムキッチン等のキャビネットにおいて、蹴込みの存在によって従来用いられていなかった空間を最下段の引出しとして有効に利用でき、その結果最下段の引出しの内容積を従来よりも大きくすることができる。
【００４１】
当該最下段の引出しを引き出しきることができる。
【００４２】
当該最下段の引出しを引き出しきることができる結果、引出しの奥の方の物の出し入れがし易い。
【００４３】
当該最下段の引出しを引き出しきることができる結果、内引出しを設けるのに向く。
【００４４】
他のレールを同じ規格のものを用いることができ、この結果、製造コストを削減できる。
【００４５】
当該キャビネットにおいて、レールの位置が高いため、レールにたまる埃を軽減できる。
【図面の簡単な説明】
【図１】本発明に係るシステムキッチンの一例である。
【図２】本発明に係るシステムキッチンの一例である。
【図３】本発明に係るシステムキッチンの一例である。
【図４】本発明に係る蹴込み付引出しの一例である。
【図５】本発明に係る蹴込み付引出しを側面からみた説明図である。
【図６】図５のＡ−Ａ’断面図である。
【図７】本発明に係るキャビネットの引出しを引き抜いた状態の正面方向からみた説明図である。
【図８】本発明に係るキャビネットの引出しを引き抜いた状態の側面方向からみた説明図である。
【図９】本発明に係るキャビネットの引出しを引き抜いた状態の側面方向からみた説明図である。
【図１０】本発明に係るキャビネットの引出しをすべて入れた状態の側面方向からみた説明図である。
【図１１】本発明に係るキャビネットの引出しを入れた状態の正面方向からみた説明図である。
【図１２】従来例に係るキャビネットの引出しを入れた状態を示す。
【図１３】従来例に係るキャビネットの引出しを途中まで引き出した状態を示す。
【図１４】従来例に係るキャビネットの引出しを途中まで引き出した状態を示す。
【図１５】従来例に係るキャビネットを組み込んだシステムキッチンを示す。
【図１６】従来例に係るキャビネットの引出しを引き抜いた状態を側面方向からみた説明図である。
【図１７】従来例に係る引出しを側面方向からみた説明図である。
【符号の説明】
１・・・システムキッチン
２・・・シンク
３・・・コンロ
４・・・ワークトップ
６・・・蹴込み
７・・・引出し
８・・・引出し
９・・・側板カバー
１０・・・蹴込み付引出
１１・・・引出し前板Ｃ
１２・・・蹴込み上板
１３・・・蹴込み前板
１４・・・レール受け
１５・・・引出し底板
１６・・・引出し側板
１８・・・オプション受けパイプ
１９・・・引出し背板
２０・・・キャビネット
２１・・・レールＡ
２２・・・レールＢ
２３・・・レールＣ
２４・・・レールＤ
２５・・・アジャスター
３０・・・引出しＡ
３１・・・引出しＢ
３２・・・引出し前板Ａ
３３・・・引出し前板Ｂ
３４・・・内引出し
３５・・・底板Ａ
３６・・・底板Ｂ
３７・・・底板Ｄ
４０・・・キャビネット
４１・・・引出し
４２・・・蹴込み
４３・・・引出しＥ
４４・・・引出しＦ
４５・・・キャビネット
４６・・・蹴込み付引出Ｇ
４７・・・システムキッチン
４８・・・レールＥ
４９・・・レールＦ
５０・・・レールＧ
５１・・・レール受けＧ
【図１】
0004039655.tif 000002
【図２】
0004039655.tif 000003
【図３】
0004039655.tif 000004
【図４】
0004039655.tif 000005
【図５】
0004039655.tif 000006
【図６】
0004039655.tif 000007
【図７】
0004039655.tif 000008
【図８】
0004039655.tif 000009
【図９】
0004039655.tif 000010
【図１０】
0004039655.tif 000011
【図１１】
0004039655.tif 000012
【図１２】
0004039655.tif 000013
【図１３】
0004039655.tif 000014
【図１４】
0004039655.tif 000015
【図１５】
0004039655.tif 000016
【図１６】
0004039655.tif 000017
【図１７】
0004039655.tif 000018